(57)【要約】【課題】マスクを使用する際に、マスクの使用価値を損ねることなく、マスクと共に使用可能なファッション性及びデザイン性に優れたマスク保持部材付き耳飾りを提供する。【解決手段】マスクの耳掛け紐に取付けた保持部材２と、この保持部材２に設けた取付穴３と、この取付穴３に吊下げた耳飾り本体４とを備えたマスク保持部材付き耳飾り１である。マスクを装着した際に、保持部材２が位置する耳たぶ位置又は耳たぶ近傍位置に取付穴３を形成し、この取付穴３に取付けた丸環５に耳飾り本体５を吊下げ状態で取付けた。【選択図】図１
0003227778.tif 000002
【実用新案登録請求の範囲】
【請求項１】
マスクの耳掛け紐に取付けた保持部材と、この保持部材に設けた取付穴と、この取付穴に吊下げた耳飾り本体とを備えたことを特徴とするマスク保持部材付き耳飾り。
【請求項２】
前記マスクを装着した際に、前記保持部材が位置する耳たぶ位置又は耳たぶ近傍位置に取付穴を形成し、この取付穴に取付けた丸環に前記耳飾り本体を吊下げ状態で取付けた請求項１に記載のマスク保持部材付き耳飾り。
【請求項３】
前記取付穴には、所望の耳飾り本体が交換できるように着脱可能に設けられた請求項１又は２に記載のマスク保持部材付き耳飾り。
【考案の詳細な説明】
【技術分野】
【０００１】
本考案は、マスク保持部材の適宜位置に装着したイヤリング又はピアス機能を有するマスク保持部材付き耳飾りに関する。
【背景技術】
【０００２】
従来、耳たぶに装着して使用される耳飾りには、耳たぶ等に孔を空けて装着するピアス（特許文献１）、耳たぶに挟み付けて装着するクリップ式のイヤリング（特許文献２）などがある。
【０００３】
クリップ式の耳飾りには、ネジ式の耳飾りやバネ式の耳飾りが知られている。ネジ式の耳飾りでは、耳たぶへの付け外しの際にネジを回すために、付け外しが面倒であるばかりでなく、押し付け方式であるから、長時間耳たぶを押し付けて装着していると、耳たぶが圧迫されて痛くなる。
【０００４】
バネ式の耳飾りでは、耳たぶへの付け外しが容易である反面、板バネの付勢力が一対の部材の挟み付け方向に常時機能しているため、長時間装着していると、耳たぶが挟着部位に強く圧迫されて痛みを感じ、耳たぶから耳飾りが脱落することがある。
【０００５】
一方で、ピアスは、耳たぶに空けた孔にピンを挿入して装着するピン式であり、上記のように耳たぶを押し付け又は挟み付けて固定する方法ではない。このため、クリップ式の耳飾りのような耳たぶへの痛みがなく、不用意に脱落することがないなどのメリットから、好まれる。
しかしながら、ピアスのピン部材は、部品が小さいため、耳たぶの所定の孔にピアスを装着するには一定の慣れやコツを要するなどのデメリットがある。さらには、あらかじめ耳たぶに孔を空ける必要があることから抵抗感を持つ人もおり、金属アレルギーが有る人はピアスを装着することができない。
【０００６】
ところで、近年、空気中の塵・ハウスダストや花粉症などの予防対策又はインフルエンザなどの空気感染症の感染予防として、あるいは、くしゃみや咳などのエチケット・マナーとして、年間を通じてマスクを使用する人が増えている。
【０００７】
ここで、マスクを着用していても、ピアスやイヤリングなど装身具を装着しておしゃれをしたい人も多い。しかし、マスクを装着した状態で、耳たぶに耳飾りを装着しようとすると、マスクの紐に耳飾りが絡まったりして、耳飾りの装着が容易でないばかりか、マスクを外すときに、耳飾りが脱落するおそれがある。
また、耳たぶに耳飾りを装着してから、マスクを装着しようとすれば、マスクの紐が耳飾りと絡まり、マスクの装着が容易でないばかりか耳飾りが脱落してしまうこともある。
【０００８】
そこで、マスク着用時でも、おしゃれを楽しむことができるように、小さいチャームやピアス部材などをマスクの紐に係止して、あたかも、ピアスやイヤリングを装着しているような雰囲気を楽しめるアクセサリーの装着方法などが提案されている。このものは、フック状の係止部材やカラビナ部材などをマスクの紐に係止させて、任意の位置にアクセサリーを調整可能に装着している。
【０００９】
また、特許文献３には、マスク使用の際にも装着可能な耳掛け型耳飾りが提案されている。同文献には、Ｃ字状に形成された本体の側縁部に、マスクの紐を係止可能な溝部が形成されており、本体には耳栓部と本体を耳に装着した際に耳から顔方向に突出する保持部材が設けられ、本体と保持部材に着脱可能に装飾体を取付けた耳掛け型耳飾りが開示されている。
【先行技術文献】
【特許文献】
【００１０】
【特許文献１】特開平９−２３８７１７号公報
【特許文献２】特開平１０−２５７９０８号公報
【特許文献３】特許第６３５８７０９号公報
【考案の概要】
【考案が解決しようとする課題】
【００１１】
しかしながら、マスクの紐に係止するアクセサリーでは、耳から前方の顔側でマスクの紐にアクセサリーなどを摺動可能な状態で係止させており、完全に固定されてはおらず、マスク着用時にアクセサリーやチャームなどの部品がマスクの紐と絡まることがあるばかりか、アクセサリーやチャームが脱落して消失するおそれもある。
そして、このものは使用の際に、所望の位置に装飾部品を移動させる必要があり、耳たぶの近傍に位置させるには、微調整が必要である。装飾部品の位置によっては印象が異なり、マスクを装着するたびに調整が必要であると手間である。
【００１２】
また、マスクを長時間装着すると、マスクの紐により耳が痛くなりマスクの着用が煩わしくなる。
【００１３】
特許文献３の耳掛け型耳飾りでは、装飾体を取付け可能な保持部材を収容するために設けた本体の溝部にマスクの紐を係止すれば、耳飾りを装着した状態でもマスクを使用できるに過ぎない。
すなわち、このものは、耳の穴に耳栓部を挿入して装着するものであり、あたかも耳掛け風の耳飾りのような形態を呈するように設計されたものである。
【００１４】
加えて、同文献の耳掛け型耳飾りの本体には、耳を覆うような大きな装飾体が取付けられているから、マスクの紐を本体の溝部に係止させる際に、大きな装飾体が邪魔になるからマスクと共に使用することを前提としたものではない。
【００１５】
よって、マスクを使用する際に、マスクの使用価値を損ねることなくおしゃれを楽しむことができ、ファッション性及びデザイン性などの使用者のニーズを満たすことができる、マスクと共に使用可能な装身具（耳飾り）が望まれる。
【００１６】
本考案は、従来の課題を解決するために、マスクを使用する際に、マスクの使用価値を損ねることなく、マスクと共に使用可能なファッション性及びデザイン性に優れたマスク保持部材付き耳飾りを提供することを目的とする。
【課題を解決するための手段】
【００１７】
上記目的を達成するため、請求項１に係る考案は、マスクの耳掛け紐に取付けた保持部材と、この保持部材に設けた取付穴と、この取付穴に吊下げた耳飾り本体とを備えたマスク保持部材付き耳飾りである。
【００１８】
請求項２に係る考案は、マスクを装着した際に、保持部材が位置する耳たぶ位置又は耳たぶ近傍位置に取付穴を形成し、この取付穴に取付けた丸環に耳飾り本体を吊下げ状態で取付けたマスク保持部材付き耳飾りである。
【００１９】
請求項３に係る考案は、取付穴には、所望の耳飾り本体が交換できるように着脱可能に設けられたマスク保持部材付き耳飾りである。
【考案の効果】
【００２０】
請求項１に係る考案によると、マスクを装着するとマスク保持部材により使用者の耳に確実に保持されるので、耳飾りを耳たぶに直接装着する必要がなく、あたかもピアスやイヤリングを装着しているかのような形態をとることが可能となり、マスク使用に際してファッション性を醸し出すことができると共に、マスクとしての使用価値を向上させることができる。
【００２１】
請求項２に係る考案によると、マスクを装着した際に、マスク保持部材の位置する耳たぶ位置に丸環を介して耳飾り本体を吊下げた状態で取付けることができるので、耳飾りは、マスクの装着に全く支障を与えることなく、耳飾りはマスクが保持状態を有効に発揮することができる。さらに、耳飾りが不用意に脱落することなく、耳飾りとしての使用価値を向上させることができる。
【００２２】
請求項３に係る考案によると、マスク保持部材の取付穴に所望の耳飾りを選んで装着できるから、例えば、マスクに施されたデザインに対応した状態の耳飾りを選択することができ、ファッション性を統一することも可能となりマスク又は耳飾りの使用価値を向上させることができる。
【図面の簡単な説明】
【００２３】
【図１】本考案のマスク保持部材付き耳飾りの一実施形態を示す図である。（ａ）は、正面図である。（ｂ）は、右側面図である。（ｃ）は、左側面図である。
【図２】（ａ）は、図１（ａ）のＸ−Ｘ断面図である。（ｂ）は、本考案のマスク保持部材付き耳飾りの使用状態を示す説明図である。
【図３】（ａ）〜（ｇ）は、他の実施形態を示す図である。
【考案を実施するための形態】
【００２４】
以下に、本考案におけるマスク保持部材付き耳飾りの実施形態を図面に基づいて詳細に説明する。
図１は、本考案のマスク保持部材付き耳飾りの一実施形態を示す図である。図１（ａ）は、正面図であり、図１（ｂ）は、右側面図であり、図１（ｃ）は、左側面図である。
【００２５】
本考案に係るマスク保持部材付き耳飾り（以下、「耳飾り」ということがある）は、マスクの耳掛け紐に取付けて、マスクと共に使用可能な耳飾りである。図１には、右耳用の耳飾りを示しているが、左耳用の耳飾りは対称に表れるため説明を省略し、右耳用の耳飾りの形態を中心に説明していく。
【００２６】
図１に示すように、マスク保持部材付き耳飾り１は、マスク保持部材２の下端部２３に取付穴３が形成されており、この取付穴３に丸環５を介して耳飾り本体４が取付けられている。
【００２７】
マスク保持部材２は、柔軟性を有する合成樹脂などからなり、図１（ａ）に示すように略Ｃ字形状に形成されている。マスク保持部材２は、上端部２１、中間部２２、下端部２３からなり、上端部２１は矩形形状に形成され、中間部２２は湾曲した形状に形成され、下端部２３は扁平楕円形状に形成されている。
【００２８】
マスク保持部材２の外周側は、上端部２１と中間部２２の接続部分がアール形状に形成され、中間部２２と下端部２３の接続部分がアール形状に形成されている。図１（ｃ）に示すように、外周側には、溝部７が形成されている。中間部２２の外周側には、大溝７ａを設けており、上端部２１の外周側および下端部２３の外周側には、大溝７ａよりも小さい溝である小溝７ｂを設けている。
この溝部７（７ａ，７ｂ）から、マスクの耳掛け紐にマスク保持部材２を取付ける。取付作業を容易にするために、中間部２２の外周側は、大溝に形成している。
【００２９】
また、図１（ａ）、（ｂ）に示すように、マスク保持部材２の内周側には、滑らかな曲線形状を有する耳掛け部２４が形成されている。耳掛け部２４の曲線形状は、曲率が異なっており、人間工学に基づき人の耳の根部分に係止しやすい形状となっている。
【００３０】
そして、図１（ｂ）に示すように、上端部２１および下端部２３は、内周側に係止穴６を設けて、マスクの耳掛け紐を係止して保持できるようにしている。
【００３１】
また、図２（ａ）に示すように、マスク保持部材２の内部には空間部８が設けられており、空間部８にマスクの耳掛け紐が収容されて、この紐を係止穴６に通しマスク保持部材２により保持することができる。
【００３２】
取付穴３は、図１（ａ）に示すように、マスク保持部材２の下端部２３に設けられ、取付穴３には、丸環５を介して耳飾り本体４が取付けられている。
ここで、取付穴３は、マスクを装着した際に、マスク保持部材２が位置する耳たぶ位置又は耳たぶ近傍位置に形成されており、この取付穴３の位置から耳飾り本体４が吊下げ状態で取付けている。すなわち、図２（ｂ）に示すように、マスク保持部材付き耳飾り１を取付け、マスクを着用した際に、耳飾り本体４が耳たぶの近傍に位置するように取付穴３を設けている。
なお、図１に示す耳飾り本体４は一例であり、鎖形状の耳飾り本体に限定されるものではない。
【００３３】
耳飾り本体４は、丸環５を介して取付穴３に着脱可能に取付けられるから、好みの耳飾り本体に交換することができる。
【００３４】
また、取付穴３は、マスク保持部材２の任意の位置に設けてもよく、複数設けてもよい。例えば、取付穴３は、下端部２３に複数設けてもよく、上端部２１や中間部２２に設けてもよい。また、耳飾り本体４も任意の位置に取付けてもよく、取付穴３が複数設けられている場合には、耳飾り本体４を任意の箇所に複数箇所に取付けてもよい。
【００３５】
そして、マスク保持部材２の大きさや形状は、特に限定はなく、マスク保持部材付き耳飾りを取付け、マスクを着用した際に、耳飾りの形態の呈するする限り任意に変形してもよい。
【００３６】
次に、本考案におけるマスク保持部材付き耳飾りの使用方法および作用について説明する。
上述のように、マスク保持部材付き耳飾りは、マスクの耳掛け紐に取付けて、マスクと共に使用可能な耳飾りである。
【００３７】
マスクを着用する際に、あらかじめマスクの耳掛け紐に本考案の耳飾りを取付けてマスクと共に使用する。
【００３８】
右耳用および左耳用のマスクの耳掛け紐に、それぞれ本考案の耳飾り１のマスク保持部材２を係止する。その際に、マスク保持部材２の大溝７ａから小溝７ｂ側に向かってマスクの紐を係止穴６まで係止していく。このとき、大溝７ａは、小溝７ｂよりも大きな溝に形成したので、大溝７ａを起点とし取付けていけばよいから、マスクの耳掛け紐にマスク保持部材２を取付けやすくなっている。
【００３９】
また、マスク保持部材２は、柔軟性を有する合成樹脂で形成されているから、溝部７にマスクの紐を係止させるのが容易である。
【００４０】
右耳用および左耳用のマスクの耳掛け紐に、それぞれマスク保持部材２を係止させて、マスクとマスク保持部材付き耳飾りを一体化させてからマスクを装着する。
このとき、マスク保持部材２の耳掛け部２４が耳の裏側で係止するように、マスクを装着する。
【００４１】
図２（ｂ）に示すように、耳飾りと一体化しているマスクを装着すると、耳たぶの下、あるいは、耳たぶの近傍に、耳飾り本体４が位置するので、マスクを装着すると保持部材２により使用者の耳に確実にマスクが保持されて、耳飾りを耳たぶに直接装着することなく、あたかもピアスやイヤリングを耳たぶに装着しているかのような形態をとることができる。
このため、マスク使用に際してファッション性を醸し出すことができると共に、マスクとしての使用価値を向上させることができる。すなわち、単なるマスク使用のみならずファッション性も備えることができ、マスク使用時にも気軽におしゃれをすることができる。
【００４２】
また、マスク保持部材２は、柔軟性を有する合成樹脂で形成されているから、マスクの耳掛け紐による耳に係る負荷がマスク保持部材２によって緩和されて、長時間マスクを装着しても耳が痛くなりにくいので、通常のマスク使用時よりも長時間おしゃれを楽しむことができる。
【００４３】
さらには、耳たぶに直接耳飾りを装着する必要がないから、耳飾りの装着時の手間や煩わしさが解放されると共に、耳たぶが痛くなる心配もない。加えて、耳たぶに装着した耳飾りが不用意に脱落して、耳飾りを消失してしまうなどの心配もない。
そして、従来のピアスのように、耳たぶに孔を空ける必要もなく、耳たぶに金属部品が直接触れることがないから、金属アレルギーや皮膚のかぶれなどを気にしなくてよいので、従来のような耳飾りを使用できなかった人でも、気軽に、ピアス風又はイヤリング風の装飾機能を有する耳飾りを使用することができる。
【００４４】
また、耳飾り本体４は、着脱可能であるから、例えば、装飾が施されたファッション性のあるマスクのデザインに合わせて、耳飾りを選択することが可能であり、ファッション性やデザインイメージなどを統一させることが可能となり、マスク又は耳飾りの使用価値を向上させることができる。
【００４５】
さらには、マスクの耳掛け紐に係止させるチャームやアクセサリー、あるいは、従来のような耳飾りと組み合わせて使用してもよいので、マスク着用時でもおしゃれのバリエーションの幅も広げることができる。
【００４６】
また、耳飾り本体４を目立たない程度の小さな装飾体としてもよく、さりげない、おしゃれも楽しむこともできる。例えば、マスク使用時におしゃれを楽しむことが難しい仕事場や場所であっても、年齢を問わず、子供や年配者でも気軽に使用することができるから、目立たない程度にちょっとした、さりげないおしゃれをすることが可能となり、一定の制約があってもストレスを軽減することもでき、モチベーションを高めるなどの心理的な効果も期待できる。
【００４７】
図３（ａ）〜（ｇ）には、耳飾り本体４の他のバリエーションを例示している。例えば、図３（ａ）に示すように、丸環５に鎖状部品を取付け、鎖状部品に宝飾品４ａなどを取付けてもよく、あるいは、図３（ｂ）〜（ｇ）に示すように、丸環５に装飾体（耳飾り本体４ｂ、４ｃ、４ｄ、４ｅ、４ｆ、４ｇ）を直接取付けてもよい。図３に例示した耳飾り本体４のバリエーションに限定されるものではなく、本考案のマスク保持部材付き耳飾りを使用した際に、耳飾り風の装飾機能を発揮することができればよい。
【００４８】
以上、本考案の実施形態について詳述したが、本考案は、前記実施形態記載に限定されるものではなく、本考案の実用新案登録請求の範囲に記載されている考案の精神を逸脱しない範囲で、種々の変更ができるものである。
【符号の説明】
【００４９】
１  マスク保持部材付き耳飾り
２  マスク保持部材
３  取付穴
４  耳飾り本体
５  丸環
６  係止穴
７  溝部
７ａ  大溝
７ｂ  小溝
８  空間部
２１  上端部
２２  中間部
２３  下端部
２４  耳掛け部
【図１】
0003227778.tif 000003
【図２】
0003227778.tif 000004
【図３】
0003227778.tif 000005